(57)【要約】【課題】マット層に滑り止め樹脂が裏面層として裏打ちされて床面に粘着する滑り止めマットにおいて、使用に伴い前記滑り止め樹脂が剥がれ落ちるのを防止する。【解決手段】パイル織物などから成るマット層２に裏面層３を備えて成る滑り止めマット１において、マット層２と裏面層３との間にメッシュ生地４を介在し、裏面層３を形成するために裏打ちされるＳＥＢＳ樹脂などの滑り止め樹脂を、そのメッシュ生地４にも含浸させる。したがって、粘着によって床面に置くだけで滑らないマットにおいて、滑り止め樹脂がメッシュ生地４に絡み付いて（染み込んで）いるので、洗濯の際にバラバラ剥がれ落ちたりすることもなく、長期間に亘って、安定した粘着力を発揮することができる。【選択図】図１
2018093972.tif 000002
【特許請求の範囲】
【請求項１】
マットとしての機能性材料から成るマット層と、滑り止め樹脂が前記マット層に裏打ちされて床面に粘着する裏面層とを備えて成る滑り止めマットにおいて、
前記マット層と裏面層との間に介在されるメッシュ生地を備え、
前記滑り止め樹脂は、前記メッシュ生地に含浸していることを特徴とする滑り止めマット。
【請求項２】
前記メッシュ生地は、３次元に積層されていることを特徴とする請求項１記載の滑り止めマット。
【請求項３】
前記メッシュ生地とマット層との間に、前記メッシュ生地のマット層への貼り合わせ用のゴム層が介在されることを特徴とする請求項１または２記載の滑り止めマット。
【請求項４】
前記滑り止め樹脂は、ＳＥＢＳ樹脂であることを特徴とする請求項１〜３の何れか１項に記載の滑り止めマット。
【請求項５】
前記裏面層は、相互に所定間隔を開けて並行に延びる筋状に形成されることを特徴とする請求項１〜４の何れか１項に記載の滑り止めマット。
【請求項６】
前記マット層は、パイル織物であることを特徴とする請求項１〜５の何れか１項に記載の滑り止めマット。
【請求項７】
マットとしての機能性材料から成るマット層と、滑り止め樹脂が前記マット層に裏打ちされて床面に粘着する裏面層とを備えて成る滑り止めマットの製造方法において、
前記マット層の裏面にメッシュ生地を貼付ける工程と、
前記滑り止め樹脂を、前記メッシュ生地の上から塗布して含浸させる工程と、
前記滑り止め樹脂を固化させて、該滑り止め樹脂で前記裏面層を形成するとともに、該滑り止め樹脂を前記メッシュ生地に一体化させる工程とを含むことを特徴とする滑り止めマットの製造方法。
【請求項８】
前記メッシュ生地を貼付ける工程の前に、前記マット層の裏面にゴム層を貼付ける工程を有し、前記メッシュ生地はゴム層に貼付けられることを特徴とする請求項７記載の滑り止めマットの製造方法。
【請求項９】
前記滑り止め樹脂を塗布する工程は、マット層を所定方向に搬送してゆき、その所定方向に交差する方向に複数本配列されたノズルから前記滑り止め樹脂を吐出することで行われ、
前記裏面層は、相互に所定間隔を開けて並行に延びる筋状に形成されることを特徴とする請求項７または８記載の滑り止めマットの製造方法。
【発明の詳細な説明】
【技術分野】
【０００１】
本発明は、台所、風呂、トイレなどで使用され、その裏面に滑り止め樹脂が裏打ちされて床面に粘着する滑り止めマットと、その製造方法に関する。
【背景技術】
【０００２】
前記のような滑り止めマットとしては、たとえば特許文献１には、タイルカーペットの裏面に、吸湿性と滑り止め効果とを有する樹脂を畝状に形成し、その畝の高さは０．５〜３．０ｍｍ、畝の幅が２．０〜８．０ｍｍ、畝の間隔が５．０〜５０．０ｍｍにすることで、少ない樹脂量でタイルカーペットの滑り止め効果を得られるようにした置き敷タイルカーペットが提案されている。
【先行技術文献】
【特許文献】
【０００３】
【特許文献１】特開２００５−２５６５２７号公報
【発明の概要】
【発明が解決しようとする課題】
【０００４】
特許文献１において、裏打ちの滑り止め樹脂の材質および厚み等は不明であるが、このような滑り止めマットの現状の市販品の多くは、洗濯により粘着面の汚れが落ち、粘着力は回復するものの、滑り止め樹脂が脆くなって、バラバラと崩れてゆくという問題がある。
【０００５】
本発明の目的は、裏面の滑り止め樹脂が剥がれ落ち難くした滑り止めマットおよびその製造方法を提供することである。
【課題を解決するための手段】
【０００６】
本発明の滑り止めマットは、マットとしての機能性材料から成るマット層と、滑り止め樹脂が前記マット層に裏打ちされて床面に粘着する裏面層とを備えて成る滑り止めマットにおいて、前記マット層と裏面層との間に介在されるメッシュ生地を備え、前記滑り止め樹脂は、前記メッシュ生地に含浸していることを特徴とする。
【０００７】
また、本発明の滑り止めマットの製造方法は、マットとしての機能性材料から成るマット層と、滑り止め樹脂が前記マット層に裏打ちされて床面に粘着する裏面層とを備えて成る滑り止めマットの製造方法において、前記マット層の裏面にメッシュ生地を貼付ける工程と、前記滑り止め樹脂を、前記メッシュ生地の上から塗布して含浸させる工程と、前記滑り止め樹脂を固化させて、該滑り止め樹脂で前記裏面層を形成するとともに、該滑り止め樹脂を前記メッシュ生地に一体化させる工程とを含むことを特徴とする。
【０００８】
上記の構成によれば、台所、風呂、トイレなどで使用されるマットにおいて、該マットを、マットとしての機能性材料から成るマット層と、滑り止め樹脂が前記マット層に裏打ちされて床面に粘着する裏面層とを備えて構成される場合に、それらの間にメッシュ生地を介在し、前記滑り止め樹脂を裏打ち（塗布）する際、前記メッシュ生地にも含浸させて固化させる。
【０００９】
したがって、表面側のマット層には、前記台所、風呂、トイレなど、使用場所や価格帯に応じた機能や意匠などに適した任意の物を使用しつつも、裏面層によって、床面に置くだけで、滑らないマットを実現することができる。そして、前記裏面層の滑り止め樹脂は、洗濯によって粘着面の汚れが落ちて粘着力が或る程度回復するが、マット層の裏の表面に粘着しているだけでなく、メッシュ生地に絡み付いて（染み込んで）おり、その洗濯の際に、バラバラ剥がれ落ちたりすることもなく、長期間に亘って、安定した粘着力を発揮することができる。
【００１０】
さらにまた、本発明の滑り止めマットでは、前記メッシュ生地は、３次元に積層されていることを特徴とする。
【００１１】
上記の構成によれば、前記メッシュ生地が３Ｄメッシュであることで、該メッシュ生地が厚く、滑り止め樹脂が、絡み付く繊維が無数にあったり、染み込む空間が無数になったりして、裏面層をより強固にすることができる。
【００１２】
また、本発明の滑り止めマットでは、前記メッシュ生地とマット層との間に、前記メッシュ生地のマット層への貼り合わせ用のゴム層が介在されることを特徴とする。
【００１３】
さらにまた、本発明の滑り止めマットの製造方法では、前記メッシュ生地を貼付ける工程の前に、前記マット層の裏面にゴム層を貼付ける工程を有し、前記メッシュ生地はゴム層に貼付けられることを特徴とする。
【００１４】
上記の構成によれば、ゴム層を介してメッシュ生地とマット層とを貼合わせることで、それらをより強固に貼り合わせることができる。
【００１５】
また、本発明の滑り止めマットでは、前記滑り止め樹脂は、ＳＥＢＳ（スチレン・エチレン・ブチレン・スチレンの共重合体）樹脂であることを特徴とする。
【００１６】
上記の構成によれば、前記裏面層を構成する滑り止め樹脂にＳＥＢＳ樹脂を用いることで、粘着力が高くて滑り止め効果を高められるとともに、前記洗濯にも強く、粘着力が回復し易く、好適である。
【００１７】
さらにまた、本発明の滑り止めマットでは、前記裏面層は、相互に所定間隔を開けて並行に延びる筋状に形成されることを特徴とする。
【００１８】
また、本発明の滑り止めマットの製造方法では、前記滑り止め樹脂を塗布する工程は、マット層を所定方向に（巻き取って）搬送してゆき、その所定方向に交差する方向に複数本配列されたノズルから前記滑り止め樹脂を吐出することで行われ、前記裏面層は、相互に所定間隔を開けて並行に延びる筋状に形成されることを特徴とする。
【００１９】
上記の構成によれば、前記裏面層は、筋状に床面に密着する。
【００２０】
これによって、裏面層が床面に貼付いたり、捲った際に床面の表層を剥がしてしまうようなこともない。また、筋の周囲に空気が入り、マットを剥がし易いとともに、滑り止め樹脂の使用量を削減し、コストを下げることもできる。
【００２１】
さらにまた、本発明の滑り止めマットでは、前記マット層は、パイル織物であることを特徴とする。
【００２２】
上記の構成によれば、パイル織物を使用することで、マットとしての質感や使用感を向上することができ、好適である。
【発明の効果】
【００２３】
本発明の滑り止めマットおよびその製造方法は、以上のように、マットとしての機能性材料から成るマット層と、滑り止め樹脂が前記マット層に裏打ちされて床面に粘着する裏面層とを備えて成る滑り止めマットおよびその製造方法において、前記マット層と裏面層との間にメッシュ生地を介在し、前記滑り止め樹脂をそのメッシュ生地にも含浸させる。
【００２４】
それゆえ、粘着によって床面に置くだけで滑らないマットにおいて、滑り止め樹脂がメッシュ生地に絡み付いて（染み込んで）いるので、洗濯の際にバラバラ剥がれ落ちたりすることもなく、長期間に亘って、安定した粘着力を発揮することができる。
。
【図面の簡単な説明】
【００２５】
【図１】本発明の実施の一形態に係る滑り止めマットの構造を模式的に示す断面図である。
【図２】前記滑り止めマットの裏面図である。
【図３】前記滑り止めマットを裏面から見た斜視図である。
【図４】前記滑り止めマットの製造工程を模式的に示す斜視図である。
【発明を実施するための形態】
【００２６】
図１は本発明の実施の一形態に係る滑り止めマット１の構造を模式的に示す断面図であり、図２はその滑り止めマット１の裏面図であり、図３は裏面から見た斜視図である。この滑り止めマット１は、たとえば、台所、風呂、トイレなどで使用される。この滑り止めマット１は、矩形に限らず、前記の敷設される場所に対応した、楕円などの形状であってもよい。その形状や用途によっては、外周縁部にオーバーロック加工が施されていてもよい。さらにまた、この滑り止めマット１は、居間やオフィスなどに複数枚が敷き詰められて使用される場合には、正方形のタイルマットとして使用されてもよい。
【００２７】
この滑り止めマット１は、マットとしての機能性材料から成るマット層２と、マット層２に裏打ちされる裏面層３とを備えて構成される。図１〜図３の例では、マット層２は、起毛２１を有するパイル織物で構成される。起毛２１は、カットとループとの何れであってもよく、編地である基布２２に植設される。起毛２１および基布２２には、給水性、防汚性、抗菌性など、マットとして要求される機能に応じた繊維や織り方が選択されればよく、またマット層２は、前記パイル織物であることでマットとしての質感や使用感を向上することができるが、スポンジや不織布など、表面に起毛２１を備えていないものでもよい。
【００２８】
裏面層３は、滑り止め樹脂が前記マット層２に裏打ちされて形成されており、この滑り止めマット１は、裏面層３によって、床面に、引き剥がし自在に粘着し、滑らないようになっている。その滑り止め樹脂には、ＳＥＢＳ樹脂が用いられることが好ましい。それは、ＳＥＢＳ樹脂は、粘着力が高くて滑り止め効果を高められるとともに、前記洗濯にも強く、粘着力が回復し易いためである。こうして、表面側のマット層２には、前記台所、風呂、トイレなど、使用場所や価格帯に応じた機能や意匠などに適した任意の物を使用しつつも、裏面層３によって、床面に置くだけで、滑らないマットを実現することができる。
【００２９】
また、前記裏面層３は、相互に所定間隔を開けて並行に延びる筋状に形成される。その作成方法は、図４で示すように、ベルトコンベア７の上にマット層２を裏向けに搭載し、ベルトコンベア７を所定方向に（巻き取って）搬送してゆき、その所定方向とは交差する方向に複数本配列されたノズル８から、塗布機（ディスペンサー）９が、所定の粘度（温度）に溶解した前記滑り止め樹脂を吐出することで行われる。図４では、図面を理解し易くするために、筋の数を少なく示している。こうして、ノズル８直近の部分に押出された滑り止め樹脂が筋を形成し、所定の割合が、後述するメッシュ生地４に浸透してゆく。
【００３０】
このように構成することで、裏面層３は、その全面が床面に完全に密着することは無く、筋状で密着し、該裏面層３が、床面に貼付いたり、捲った際に床面の表層を剥がしてしまうようなこともない。また、筋の周囲に空気が入り、該滑り止めマット１を剥がし易いとともに、滑り止め樹脂の使用量を削減し、コストを下げることもできる。
【００３１】
上述のように構成される滑り止めマット１において、注目すべきは、マット層２と裏面層３との間に、メッシュ生地４が介在され、前記滑り止め樹脂を裏打ち（塗布）する際に、メッシュ生地４にも含浸させて固化させることである。したがって、裏面層３の滑り止め樹脂は、洗濯によって粘着面の汚れが落ちて粘着力が或る程度回復するが、メッシュ生地に絡み付いて（染み込んで）いるので、その洗濯の際に、該滑り止め樹脂がバラバラ剥がれ落ちたりすることもなく、長期間に亘って、安定した粘着力を発揮することができるようになる。
【００３２】
また、この滑り止めマット１で注目すべきは、メッシュ生地４が、図１〜図３で示すように、３次元に積層された３Ｄメッシュから成ることである。そうすることで、該メッシュ生地４が厚く、滑り止め樹脂が、絡み付く繊維４１が無数にあったり、染み込む空間４２が無数になったりして、裏面層３をより強固にすることができる。また、メッシュ生地４が３Ｄメッシュであることで、脚や靴で該滑り止めマット１に斜めに（横滑りする方向に）力が加わっても、メッシュ繊維が倒れて、前記力を或る程度吸収することができる。これによって、よりずれなくすることができる。
【００３３】
さらにまた、この滑り止めマット１で注目すべきは、メッシュ生地４とマット層２との間に、メッシュ生地４のマット層２への貼り合わせ用のゴム層５が介在されていることである。
【００３４】
さらにまた、この滑り止めマット１で注目すべきは、マット層２へメッシュ生地４を貼付ける前に、マット層２の裏面にはゴム層５が貼付けられており、メッシュ生地４はゴム層５に貼付けられることである。こうして、ゴム層５を介してメッシュ生地４とマット層２とを貼合わせることで、それらをより強固に貼り合わせることができる。このようにゴム層５を含め、マット層２の基布２２から、該ゴム層５、メッシュ生地４および裏面層３の平坦部３１までの厚みは、たとえば４ｍｍである。裏面層３のメッシュ生地４からの高さは、１ｍｍである。
【００３５】
ここで、本件発明者の試験結果を示す。比較試料は、裏面層３と同様の滑り止め樹脂であるＳＥＢＳ樹脂を全面に塗布したもので、ゴム層５およびメッシュ生地４は設けられていない。試験方法には、ＡＳＴＭ  Ｄ  １８９４−９５を準用している。引張速度は１０ｃｍ／ｍｉｎ、摩擦子としての試料は、面積４０ｃｍ2、質量は２００ｇｆ、摩擦台は鏡面仕上げのステンレス板、測定面は裏面で、縦（発明品の場合で裏面層３の形成方向）および横（同裏面層３の形成方向とは直交方向）で、静摩擦係数および動摩擦係数を測定している。
【００３６】
先ず縦方向の静摩擦係数は、発明品０．７６、比較試料０．４９、動摩擦係数は、発明品１．５２、比較試料０．７１、横方向の静摩擦係数は、発明品０．３５、比較試料０．３２、動摩擦係数は、発明品０．７３、比較試料０．４９であった。したがって、発明品の筋状の裏面層３と３Ｄのメッシュ生地４との相乗効果によって、摩擦係数が飛躍的に向上していることが理解される。
【００３７】
加えて、耐洗濯性に優れていることから、発明品を１００回洗濯した後において、縦方向の静摩擦係数は０．５５、動摩擦係数は０．８８、横方向の静摩擦係数は０．３９、動摩擦係数は０．５３と、優れた数値であった。
【符号の説明】
【００３８】
１    滑り止めマット
２    マット層
２１    起毛
２２    基布
３    裏面層
４    メッシュ生地
４１    繊維
４２    空間
５    ゴム層
７    ベルトコンベア
８    ノズル
９    塗布機（ディスペンサー）
【図１】
2018093972.tif 000003
【図２】
2018093972.tif 000004
【図３】
2018093972.tif 000005
【図４】
2018093972.tif 000006